(57)【特許請求の範囲】
【請求項１】
天井躯体から吊り下げられ、ねじ部が形成された吊りボルトに取り付けられるブレース連結具において、
内面部に上記吊りボルトのねじ部と係止可能な凸凹状の係止歯部が形成された係止体、及びこの係止体の左右部に形成された側板部からなる断面コの字状の係止部材と、
上記係止部材の両側板部間に嵌められ、これら両側板部に挿通される回動軸により回動可能に軸支され、一方側には、上記係止部材の係止体に沿って配置される吊りボルトを上記係止体に押し当てる押圧部が設けられ、他方側にはブレースが連結される連結部が設けられた連結部材とを有し、
上記連結部材の連結部が上記吊りボルトに沿う下向きの状態では、上記押圧部は上記吊りボルトを上記係止体に押し当てず、上記係止部材は上記連結部材とともに上記吊りボルトに対して上下移動が可能となり、
上記連結部材の連結部を上記吊りボルトから離れる方向に回動させると、上記連結部材の押圧部が上記吊りボルトを上記係止体に押し当て、この係止体の係止歯部が上記吊りボルトのねじ部と噛み合い係止され、上記係止部材が上記連結部材とともに上記吊りボルトに固定され、
上記連結部材の押圧部を、上記回動軸を中心とした円の一部をなす円弧状に形成し、上記連結部材を回動させた場合であっても、上記押圧部が上記吊りボルトに接する位置が常に一定し、かつ上記押圧部が上記吊りボルトを上記係止体に押し当て、上記係止部材の係止歯部が上記吊りボルトのねじ部と噛み合い係止し、上記係止部材が上記連結部材とともに上記吊りボルトに固定されるようにしたことを特徴とするブレース連結具。
【請求項２】
上記連結部材の回動により、上記吊りボルトに対する上記連結部材の連結部のなす角度が３０度〜６０度の範囲の傾斜角度において、上記係止部材の係止歯部が上記吊りボルトのねじ部と噛み合い係止するようにしたことを特徴とする請求項１記載のブレース連結具。
【請求項３】
上記係止部材の係止歯部のピッチＱと、上記吊りボルトのねじ部のピッチＰとの関係を、Ｑ＝Ｐ、Ｑ＝２Ｐ、又はＱ＝３Ｐとしたことを特徴とする請求項１又は２記載のブレース連結具。
【請求項４】
上記係止歯部の山部を、断面鋭角状に形成したことを特徴とする請求項１乃至３の何れかに記載のブレース連結具。
【請求項５】
上記連結部材に係合部を設け、上記連結部材の連結部が上記吊りボルトに沿う下向きの状態において、上記係合部が上記係止部材の側板部と係合し、上記連結部材を上記係止部材とともに上記吊りボルトの上方に移動させたときに、上記係止部材が上記回動軸を中心に回動しないよう阻止するようにしたことを特徴とする請求項１乃至４の何れかに記載のブレース連結具。
【請求項６】
請求項１乃至５の何れかに記載のブレース連結具にブレースを取り付け、上記吊りボルトに配置した上記ブレース連結具を上方に移動し、このブレース連結具の側板部の平坦な上辺部を天井躯体に当接させ、この状態で上記吊りボルトに上記ブレース連結具を取り付けたことを特徴とするブレースの連結構造。
【発明の詳細な説明】
【技術分野】
【０００１】
本発明は、天井等に用いられるブレース連結具及びブレースの連結構造に関する。
【背景技術】
【０００２】
従来、建物の天井構造では、天井スラブから所定間隔をおいて吊りボルトを吊り下げ、水平材と組み合せて構成した天井枠に補強用のブレースを取り付けて耐震強度を向上させている。上記ブレースは、上記吊りボルトの上部から、隣り合う吊りボルトの下部間又は天井枠間に斜めに配置して天井枠を補強する。
【０００３】
例えば特許文献１には、図１３に示すように、ブレース７０を吊りボルト７２へ固定するブレース金具７１に関し、ブレース７０の先端の取付ボルト７３を螺挿する基板７４と、この基板７４の上部から延設され、吊りボルト７２への係止が可能な第一係止片７６と、基板７４の下部から延設され吊りボルト７２への係止が可能な第二係止片７８と、吊りボルト７２への係止が可能な第三係止片８０とを備え、取付ボルト７３と、第一係止片７６と、第二係止片７８と、第三係止片８０との４点により、吊りボルト７２に係止されるものが開示されている。
【０００４】
また特許文献２には、固定部材と可動部材を有し、この可動部材にブレースを取り付け、固定部材に第１〜第４爪部を設けてこの固定部材を吊りボルトに固定する固定具が開示されている。
【先行技術文献】
【特許文献】
【０００５】
【特許文献１】特開２００９−３５９６０号公報
【特許文献２】特開２００８−１１１２９２号公報
【発明の概要】
【発明が解決しようとする課題】
【０００６】
さて、上記特許文献１に記載のブレース金具７１は、吊りボルト７２に対するブレース７０の角度は、第一から第三係止体及び取付ボルトによって一定角度に保持され、取付ボルトに固定されたブレースの角度を変えるのは別仕様のブレース金具を準備しなければならないという問題がある。また、このブレース金具７１は、第一から第三係止片と取付ボルトの各点により吊りボルト７２に係止する形態であるため、強い揺れなどで取付ボルト７３等の位置がずれて係止に不都合をきたすことが懸念される。特許文献２に記載の固定具についても複数の爪部を介していることから同様のことが懸念される。
【０００７】
本発明は上記問題点を解決するためになされたものであり、施工性、耐震性及び汎用性に優れた天井用のブレース連結具及びブレースの連結構造を提供することを目的とする。
【課題を解決するための手段】
【０００８】
以上の技術的課題を解決するため、本発明に係るブレース連結具は、図１等に示すように、天井躯体３から吊り下げられ、ねじ部５が形成された吊りボルト４に取り付けられるブレース連結具２において、内面部に上記吊りボルト４のねじ部５と係止可能な凸凹状の係止歯部１６が形成された係止体１２、及びこの係止体１２の左右部に形成された側板部１４，１４からなる断面コの字状の係止部材８と、上記係止部材８の両側板部１４間に嵌められ、これら両側板部に挿通される回動軸１１により回動可能に軸支され、一方側には、上記係止部材８の係止体１２に沿って配置される吊りボルト４を上記係止体１２に押し当てる押圧部３０が設けられ、他方側にはブレース６が連結される連結部３２が設けられた連結部材１０とを有し、上記連結部材１０の連結部３２が上記吊りボルト４に沿う下向きの状態では、上記押圧部３０は上記吊りボルト４を上記係止体１２に押し当てず、上記係止部材８は上記連結部材１０とともに上記吊りボルト４に対して上下移動が可能となり、上記連結部材１０の連結部３２を上記吊りボルト４から離れる方向に回動させると、上記連結部材１０の押圧部３０が上記吊りボルト４を上記係止体１２に押し当て、この係止体１２の係止歯部１６が上記吊りボルト４のねじ部５と噛み合い係止され、上記係止部材８が上記連結部材１０とともに上記吊りボルト４に固定される構成である。
【０００９】
本発明に係るブレース連結具は、上記係止部材８の係止歯部１６のピッチＱと、上記吊りボルト４のねじ部５のピッチＰとの関係を、Ｑ＝Ｐ、Ｑ＝２Ｐ、又はＱ＝３Ｐとした構成である。
本発明に係るブレース連結具は、上記係止歯部１６の山部１５を、断面鋭角状に形成した構成である。
【００１０】
本発明に係るブレース連結具は、上記連結部材１０の押圧部３０を、上記回動軸１を中心とした円の一部をなす円弧状に形成し、上記連結部材１０を回動させた場合であっても、上記押圧部３０が上記吊りボルト４に接する位置が常に一定し、かつ上記押圧部３０が上記吊りボルト４を上記係止体１２に押し当て、上記係止部材８の係止歯部１６が上記吊りボルト４のねじ部５と噛み合い係止し、上記係止部材８が上記連結部材１０とともに上記吊りボルト４に固定されるようにした構成である。
【００１１】
本発明に係るブレース連結具は、上記連結部材１０の回動により、上記吊りボルト４に対する上記連結部材１０の連結部３２のなす角度が３０度〜６０度の範囲の傾斜角度において、上記係止部材８の係止歯部１６が上記吊りボルト４のねじ部５と噛み合い係止するようにした構成である。
【００１２】
本発明に係るブレース連結具は、上記連結部材１０に係合部３８を設け、上記連結部材１０の連結部３２が上記吊りボルト４に沿う下向きの状態において、上記係合部３８が上記係止部材８の側板部１４と係合し、上記連結部材１０を上記係止部材８とともに上記吊りボルト４の上方に移動させたときに、上記係止部材８が上記回動軸１１を中心に回動しないよう阻止するようにした構成である。
【００１３】
本発明に係るブレースの連結構造は、上記何れかに記載のブレース連結具にブレース６を取り付け、上記吊りボルト４に配置した上記ブレース連結具２を上方に移動し、このブレース連結具２の側板部１４の平坦な上辺部１９を天井躯体３に当接させ、この状態で上記吊りボルト４に上記ブレース連結具２を取り付けた構成である。
【発明の効果】
【００１４】
本発明に係るブレース連結具によれば、係止体が設けられた係止部材と押圧部が設けられた連結部材とを有し、連結部材の連結部を回動させると、連結部材の押圧部が吊りボルトを係止体に押し当て、この係止体の係止歯部が吊りボルトのねじ部と噛み合い係止され、係止部材が連結部材とともに吊りボルトに固定される構成としたから、吊りボルトの所望する位置に自由にブレース連結具を移動させることができ、かつブレースが連結される連結部材を所望する角度に回動させるのみで、ブレース連結具が吊りボルトに係止固定されることから、作業が容易に行えて施工性に優れ、また係止歯部とねじ部との噛み合いによりブレース連結具は吊りボルトから容易に外れないため耐震性にも優れるという効果を奏する。
【００１５】
本発明に係るブレース連結具によれば、係止部材の係止歯部のピッチＱと、吊りボルトのねじ部のピッチＰとの関係を、Ｑ＝Ｐ、Ｑ＝２Ｐ、又はＱ＝３Ｐとしたから、係止歯部とねじ部とが深く噛み合い強く係止固定されるという効果がある。
また、本発明に係るブレース連結具によれば、係止歯部の山部を、断面鋭角状に形成したから、係止歯部とねじ部とが正確に噛み合い係止されるという効果がある。
【００１６】
本発明に係るブレース連結具によれば、連結部材の押圧部を、回動軸を中心とした円の一部をなす円弧状に形成し、連結部材を回動させた場合であっても、押圧部が吊りボルトに接する位置が常に一定し、かつ係止部材の係止歯部が吊りボルトのねじ部と噛み合い係止するようにしたから、上記作業容易等の効果に加えて、ブレース連結具に連結されるブレースの傾斜角度を自由に設定することができて汎用性に優れ、また地震の振動等でブレースの傾斜角度が変化してもブレース連結具が吊りボルトから外れないためさらに耐震性に優れるという効果がある。
【００１７】
本発明に係るブレース連結具によれば、連結部材に係合部を設け係止部材が回動しないように阻止するようにしたから、吊りボルトに対してブレース連結具を押し上げる際、係止部材の一部が吊り部材のねじ部に引っかかるという不都合が解消され、施工が良好に行えるという効果がある。
【００１８】
本発明に係るブレースの連結構造によれば、上記何れかに記載のブレース連結具の側板部を天井躯体に当接させ、吊りボルトにブレース連結具を取り付けた構成を採用したから、上記効果に加えて、ブレース連結具の係止部材が天井躯体に保持固定されるため、係止部材が回動したり又はがたついたりすることがなく、ブレース連結具の固定が安定するという効果がある。
【図面の簡単な説明】
【００１９】
【図１】実施の形態に係るブレース連結具及びブレース連結構造を示す図である。
【図２】実施の形態に係るブレース連結具の係止部材を示す図で、（ａ）は正面図、（ｂ）は平面図、（ｃ）は断面図である。
【図３】実施の形態に係るブレース連結具の係止部材を示す図である。
【図４】他の形態に係るブレース連結具の係止部材を示す図である。
【図５】実施の形態に係るブレース連結具の平面を示す図である。
【図６】実施の形態に係り、ブレース連結具の拘束空間部に吊りボルトを嵌めた状態の断面を示す図である。
【図７】ブレース連結具の連結部材を回動させた状態を示す断面図である。
【図８】吊りボルトのピッチとブレース連結具の係止歯部のピッチを同一とした形態の断面図である。
【図９】実施の形態に係り、ブレース連結具を用いたブレースの連結構造を示す図である。
【図１０】ブレース連結具の連結部材を複数の角度に回動させた状態を示す図である。
【図１１】吊りボルトに嵌めたブレース連結具を、吊りボルトの上部に向けてスライド移動させている状態を示す図である。
【図１２】実施の形態に係り、ブレース連結具及びブレースの連結構造を用いた天井下地構造を示す図である。
【図１３】従来例に係るブレース金具及び天井構造を示す図である。
【発明を実施するための形態】
【００２０】
以下、本発明の実施の形態を図面に基づいて説明する。
図１は、実施の形態に係るブレース連結具２及びブレースの連結構造を示したものである。上記ブレース連結具２は、天井躯体３から吊り下げられた吊りボルト４に取り付けられ、天井下地の揺れ等を防止するブレース６を吊りボルト４に連結する。この吊りボルト４は、天井躯体３に上端部が固定されて垂直に配置され、下端部に天井ボードなどの天井材を取り付けて支持する。
【００２１】
上記ブレース連結具２は鋼材からなり、断面コの字状の係止部材８、及びこの係止部材８に回動可能に支持される連結部材１０を有する。この連結部材１０には、ブレース６の端部が固定され、このブレース６の向きは連結部材１０の向きと一致させる。
上記吊りボルト４は鋼材からなり、丸棒材の全体（又は上下部分）に螺旋状にねじ山及びねじ溝が刻設されたねじ部５が形成されている。
【００２２】
図２に示すように、上記係止部材８は、断面矩形状で長尺状の係止体１２、及びこの係止体１２の左右部に形成された両側板部１４，１４からなり、断面はコの字状である。
係止体１２の内側には凸凹状の係止歯部１６が形成され、この係止歯部１６の断面は、一定間隔で山部１５と溝部１７が形成されたノコギリ歯状である。この係止歯部１６の山部１５は、鋭角状に形成されている。
【００２３】
上記側板部１４は、それぞれ長方形の鋼板の一角部を斜めに切り欠いた形状であり、基礎辺部１８、上辺部１９、側辺部２０、斜辺部２１及び底辺部２２からなる五角形状である。各側板部１４には、中央の側辺部２０寄りの位置に大径の挿通孔２４、及び小径の挿通孔２５がそれぞれ形成されている。
係止体１２には、左右の側部にそれぞれ側板部１４の基礎辺部１８が固定されている。各側板部１４は、係止体１２に溶着されている。他に、ビス等を用いて各側板部１４を係止体１２に接合しても良い。両側板部１４同士の間隔は、吊りボルト４の直径（外径）より少し大きく形成されている。
【００２４】
図３に示すように、上記連結部材１０は長尺の鋼製板材からなり、平坦な基板部２８の長尺方向の一端部には円弧状の押圧部３０が、他端部には連結部３２がそれぞれ形成されている。連結部材１０は全体的には、長方形の一方の短辺に押圧部３０を形成した形状である。
また連結部材１０には、基板部２８の一方の長尺辺の近傍を表向きに屈曲した立上部３４が形成され、他方の長尺辺の近傍を裏向きに屈曲した立下部３６が形成されている。また、立上部３４の押圧部３０寄りの位置は、段差状の係合部３８を介して一段低く形成されている。連結部材１０は、立上部３４及び立下部３６により、板材の表裏方向の幅（係止部材８の両側板部間１４の間隔に近い）を確保している。連結部３２には、基板部２８の中央近辺に長尺方向に並べて孔部４３が２つ形成され、端部近辺には短尺方向に並べて孔部４４が２つ形成されている。
【００２５】
また、基板部２８には、押圧部３０寄りの位置の中央部に軸孔４０が形成されている。この軸孔４０の裏側には、リング状の環部材４１が溶着され、軸孔４０と環部材４１の孔部同士は連通している。
そして押圧部３０は、軸孔４０の中心部を中心とした円（半径Ｒ）の一部をなす円弧状に周囲が形成されている。
【００２６】
図４は、他の形態に係る連結部材４６を示したものである。この連結部材４６は、長尺の鋼製板材からなり、平坦な基板部４７の長尺方向の一端部には円弧状の押圧部３０が、他端部には連結部４８がそれぞれ形成されている。この連結部４８は、両側に連結片４９，４９が形成された形態であり、各連結片４９にはそれぞれ孔部４５が２箇所ずつ設けられている。上記孔部４５を利用して、連結部４８にブレースを固定する。
連結部材４６の押圧部３０等は、上記連結部材１０の押圧部３０と形状及び押圧形態は同様であり、同一の符号を付してここでの説明は省略する。ここでは以下、上記連結部材１０を用いた形態について説明する。
【００２７】
図５に示すように、上記ブレース連結具２は、係止部材８の両側板部１４間に連結部材１０を嵌め込み、側板部１４の挿通孔２４と連結部材１０の軸孔４０を合せ、ここにワッシャ５１を介してボルト５０を挿通させナット５２を螺着して組立てる。
このボルト５０は、頭部５５、大径の軸部５６、小径の軸部５７、及びねじ部５８からなる。この大径の軸部５６にワッシャ５４を嵌めて使用する。大径の軸部５６は、係止部材８の側板部１４の大径の挿通孔２４に挿通し、小径の軸部５７は小径の挿通孔２５に挿通する。また、大径の軸部５６は、係止部材８の側板部１４と連結部材１０との間隔を調整（ワッシャの機能）する。
【００２８】
そして、係止部材８に対して連結部材１０を回動軸１１としてのボルト５０で軸支し連結部材１０を回動自在に支持する。なお、上記ボルト５０に替えてピン等を用いることもできる。
ブレース連結具２は、係止部材８の係止体１２及び両側板部１４によりコの字状に三方が囲まれ、もう一方を連結部材１０により囲まれた拘束空間部５３に吊りボルト４を挿通させ、連結部材１０の押圧部３０で吊りボルト４を係止部材８の係止歯部１６に押し当てて固定する。
【００２９】
ここで、吊りボルト４とブレース連結具２との係止構造について説明する。
図６は、ブレース連結具２の拘束空間部５３に吊りボルト４を嵌めた状態の断面を示すものである。連結部材１０の押圧部３０は、回動軸１１を中心とした円（半径Ｒ）の一部をなす円弧状であり、ここでの円弧の中心角は略１２０度である。この場合、連結部材１０の吊りボルト４側（図中左側）の側部４２の一部（側部４２の上部近傍）は、回動軸１１からの距離が押圧部３０の半径（Ｒ）より小さい。
【００３０】
したがって、連結部材１０を回動（ここでは反時計回り）させた場合、連結部材１０が最初に吊りボルト４に接する部位は、上記側部４２と押圧部３０との境界点（Ｓ）となる。
ここで、係止部材８の係止歯部１６の山部１５の頂部から連結部材１０の上記境界点（Ｓ）までの距離（Ａ）と、吊りボルト４の外径（Ｂ）（ねじ山径）との関係については、上記境界点（Ｓ）が回動軸１１と水平な状態では、上記距離（Ａ）が吊りボルト４の外径（Ｂ）より小さくなる（Ａ＜Ｂ）ように、連結部材１０の回動軸１１の位置を定める。
但し、上記境界点（Ｓ）が回動軸１１より上方に位置する状態では、上記距離（Ａ）が吊りボルト４の外径（Ｂ）より大きくなる（Ａ＞Ｂ）ように、連結部材１０の回動軸１１の位置を定める。
【００３１】
この場合、連結部材１０の連結部３２を吊りボルト４に沿う下向きの状態（もしくは少し回動させた状態）では、連結部材１０の押圧部３０（境界点（Ｓ点））は吊りボルト４から離れており、係止部材８の係止歯部１６と吊りボルト４のねじ部５とは噛み合わない。そして、ブレース連結具２は吊りボルト４に沿って上下に移動可能である。
【００３２】
次に図７に示すように、連結部材１０を回動（反時計回り）させると、押圧部３０の上記境界点（Ｓ）は吊りボルト４側に移動する。そして、境界点（Ｓ）が回動軸１１と水平な状態に位置すると、押圧部３０は吊りボルト４を押して（上記Ａ＜Ｂの関係より）これを係止部材８の係止歯部１６に押し当て、係止部材８の係止歯部１６と吊りボルト４のねじ部５とが噛み合う。
この状態では、ブレース連結具２が吊りボルト４に係止固定される。このとき、吊りボルト４に対する連結部材１０のなす傾斜角度（θ）は略４０度である。
【００３３】
更に、連結部材１０を回動させ連結部材１０の傾斜角度を変えても、押圧部３０は回動軸１１を中心とする半径（Ｒ）の円弧形状であるため、上記距離（Ａ）は変わらない。このため、押圧部３０が吊りボルト４を押圧する位置は一定しており、係止歯部１６と吊りボルト４のねじ部５とは噛み合った状態を維持し、ブレース連結具２は吊りボルト４に係止固定されたままである。
ここでは、連結部材１０の傾斜角度（吊りボルト４の方向からの）が４０度以上で、押圧部３０の中心角（略１２０度）の範囲内の傾斜角度であれば、ブレース連結具２は吊りボルト４に係着固定される。
【００３４】
押圧部３０の中心角を規定することにより、連結部材１０の傾斜角度の範囲を自由に設定することができる。押圧部３０の中心角は、１０度から１５０度の範囲が実用的である。連結部材１０の傾斜角度は、そのままブレース６の傾斜角度に該当するが、通常この傾斜角度は３０度から６０度の範囲で使用される場合が多い。
【００３５】
なお、他の形態として、連結部材１０の押圧部の形状を上記円弧形状としない場合であっても、連結部材を回動（反時計回り）させることにより、押圧部が吊りボルト４を押して（上記Ａ＜Ｂの関係より）これを係止部材８の係止歯部１６に押し当て、係止部材８の係止歯部１６と吊りボルト４のねじ部５とが噛み合った状態を維持させることができる。この場合も、ブレース連結具２は吊りボルト４に良好に係止固定される。
【００３６】
ブレース連結具２の係止歯部１６と吊りボルト４のねじ部５とは、ともに凸部と凹部とが連続するものであるため、特別な関係がなくても両者は噛み合い係止固定される。
ここでは、上記図６に示すように、両者を深く噛み合わせるため、吊りボルト４のねじ部５のピッチ（Ｐ）（ねじ山間の間隔）に対して、ブレース連結具２の係止歯部１６のピッチ（Ｑ）（歯の山部１５同士の間隔）を２倍としている（Ｑ＝２Ｐ）。これにより、ブレース連結具の係止歯部１６の山部１５と、吊りボルト４のねじ部５のねじ溝とが全体にわたって深く噛み合い強固に係止固定される。
【００３７】
一般に、係止歯部１６のピッチ（Ｑ）とねじ部５のピッチ（Ｐ）との関係が、Ｑ＝ｎＰ、又はＱ＝Ｐ／ｎ（ｎは自然数）の場合に、両者の噛み合せが強くなる。特に、係止歯部１６のピッチＱと吊りボルト４のねじ部５のピッチＰとの関係を、Ｑ＝Ｐ、Ｑ＝２Ｐ、又はＱ＝３Ｐの場合が一般の吊りボルトのピッチからして実用的である。また、係止歯部１６のピッチＱを不均一としてもよいが、要は両者が噛み合いブレース連結具２が吊りボルト４に固定できる形状であればよい。
【００３８】
図８に示すブレース連結具２を取り付ける吊りボルト７は、この吊りボルト７のねじ部９のピッチ（Ｐ）に対してブレース連結具２の係止歯部１６のピッチ（Ｑ）を同一とした（Ｑ＝Ｐ）形態である。この場合も、ブレース連結具２の係止歯部１６の山部１５が、吊りボルト７のねじ部９のねじ溝と深く噛み合う。
【００３９】
図９，１０は、上記ブレース連結具２を用いたブレース６の連結構造を示したものである。上記ブレース連結具２を配置する場合、予めブレース連結具２の連結部材１０にブレース６を取り付けておく。このとき、連結部材１０の連結部３２に設けた孔部４３，４４を利用し、ボルト等の止着具を用いて連結部３２にブレース６の上端部を固定する。
そして、吊りボルト４の下端部からブレース連結具２は嵌め、ブレース連結具２の拘束空間部５３に吊りボルト４を挿通させる。この状態で、作業者はブレース連結具２に取り付けたブレース６の下部を押し上げ、連結部材１０（ブレース６）が吊りボルト４に沿う状態で、ブレース連結具２を吊りボルト４の上部に移動させる。
この状態では、ブレース連結具２の係止歯部１６は吊りボルト４のねじ部５とは係止せず、ブレース連結具２は吊りボルト４に挿通された状態で上下に移動可能となる。
【００４０】
次に図１０に示すように、吊りボルト４の所定位置（ここでは上端部）でブレース連結具２を止め、ここで連結部材１０を吊りボルト４から連結部３２が離れる方向（反時計回り）に回動させる。
そして、吊りボルト４に対する傾斜角度（θ）が４０度近辺に至ると、連結部材１０の押圧部３０の境界点（Ｓ）の部位が吊りボルト４を押圧し係止部材８側に移動させる。このとき連結部材１０の押圧部３０は、吊りボルト４を係止部材８の係止体１２に押し当て、これにより係止部材８が吊りボルト４に係止され、係止部材８の係止歯部１６が吊りボルト４のねじ部５と噛み合い、この位置でブレース連結具２が吊りボルト４に係止固定される。
【００４１】
さらに図１０に示すように、ブレース連結具２の連結部材１０をブレース６とともに回動させ、その傾斜角度（θ）が４０度以上になった場合であっても、押圧部３０の円弧範囲内であれば吊りボルト４に対する押圧位置は不変であり、吊りボルト４と係止部材８との係止状態はそのまま維持される。このため、連結部材１０に連結されたブレース６は、吊りボルト４に対して押圧部３０の円弧範囲（中心角度）で自由に角度調整が行える。
そして、ブレース６を所望する傾斜角度（例えば４５度〜６０度）まで回動させると、この状態でブレース連結具２は吊りボルト４に係止固定され、傾斜したブレース６の下端部を所定箇所に固定する。
また、振動等でブレース６の傾斜角度が変化した場合であっても、ブレース連結具２は吊りボルト４との係止状態が維持されるため、ブレース連結具２は吊りボルト４から外れない。
【００４２】
また、ここでは特にブレース連結具２を吊りボルト４の上端部まで押し上げ、このブレース連結具２の側板部１４の上辺部１９を天井躯体３の面に当接させた状態で固定するようにしている。これにより、ブレース連結具２の係止部材８が天井躯体３に保持固定されるため、係止部材８が回動（回動軸中心）したり又は、がたついたりすることがない。
また、ブレース連結具２を吊りボルト４の高い位置に取り付ける場合、予めブレース連結具２に取り付けたブレース６の下部を押し上げて、ブレース連結具２を吊りボルト４の高い位置まで移動させることができる。そして、ブレース連結具２の所望する位置でブレース６を傾斜させれば、ブレース連結具２が吊りボルト４に固定される。このため、ブレース６の下部近傍の位置でブレース連結具２の取り付け作業及びブレース６の下端部の取り付け作業が行える。
【００４３】
図１１は、吊りボルト４に嵌めたブレース連結具２を、吊りボルト４の上部に向けてスライド移動させている状態を示したものである。
この場合、ブレース連結具２の係止部材８は、連結部材１０により回動軸１１の部位を上に押し上げる状態となることから、係止部材８は吊り部材４との摩擦により回動軸１１を中心に左周りに回動しようとする。このように係止部材８が回動し、傾斜した状態となった場合、係止部材８の係止歯部１６の下部近傍が吊り部材４のねじ部５に引っかかり、不都合が生じる。
【００４４】
このためブレース連結具２は、連結部材１０に設けた段差状の係合部３８を係止部材８の側板部１４の底辺部２２に下から当接させるようにしている。これにより、吊りボルト４に対してブレース連結具２を押し上げる際、回動軸１１を中心に回動しようとする係止部材８の回動（側板部１４の底辺部２２は下方に移動しようとする）が阻止され、上記不都合が生じることがない。
なお、上記連結部材１０に設けた段差状の係合部３８に替えて、突起状の係合部を設ける形態を採用してもよく、或いは係合部を連結部材１０の他の位置に設けて係止部材８の側板部１４と係合させ、係止部材８の回動を阻止するようにしても良い。要は、ブレース連結具２を押し上げる際、係止部材８の回動が阻止されれば足りる。
【００４５】
図１２は、ブレース連結具２及びブレースの連結構造を用いた天井下地構造を示したものである。天井躯体３からは、吊りボルト４が垂下した状態で取り付けられ、吊りボルト４の上部は、天井躯体３に埋設されたインサート６０（内部に雌ねじ）に螺設されている。また、一部の吊りボルト４の下部は、野縁受けなどを保持するハンガー６２等を支持する。上記ハンガー６２は、ナットを介して吊りボルト４のねじ部５に螺着されている。
そして、吊りボルト４の上部にはブレース連結具２が取り付けられ、このブレース連結具２に固定されたブレース６は傾斜状に配置され、ブレース６の下端部は他の吊りボルト４の下部に取り付けた固定具６４にボルトで固定されている。ブレース６は、野縁受け、野縁などからなる天井下地６６を補強し、揺れ等を防止して耐震性を高める。
【００４６】
従って、上記実施の形態によれば、ブレース連結具を吊りボルトの必要な高さ位置に移動させ、ブレース連結具に固定したブレースを必要な角度に回動させるのみで、その位置でブレース連結具が吊りボルトに係止固定されることから、作業が容易で施工性に優れ、さらにブレースを所望する範囲内の角度に自由に設定することができて汎用性に優れ、また地震の振動等でブレースが揺れて傾斜角度が変化した場合であっても、ブレース連結具が吊りボルトから外れないため耐震性にも優れるという効果がある。
【符号の説明】
【００４７】
２  ブレース連結具
３  天井躯体
４  吊りボルト
５  ねじ部
６  ブレース
８  係止部材
１０  連結部材
１１  回動軸
１２  係止体
１４  側板部
１６  係止歯部
３０  押圧部
３２  連結部
【図１】
0005937396.tif 000002
【図２】
0005937396.tif 000003
【図３】
0005937396.tif 000004
【図４】
0005937396.tif 000005
【図５】
0005937396.tif 000006
【図６】
0005937396.tif 000007
【図７】
0005937396.tif 000008
【図８】
0005937396.tif 000009
【図９】
0005937396.tif 000010
【図１０】
0005937396.tif 000011
【図１１】
0005937396.tif 000012
【図１２】
0005937396.tif 000013
【図１３】
0005937396.tif 000014